(57)【特許請求の範囲】
【請求項１】
放電により活性酸素を発生させると共に粉塵に電荷を付与する放電極ブロックと、放電極ブロックよりも下流側に配置されて上記活性酸素で励起されて臭気物質の酸化分解を促進させる酸化触媒と、粉塵を捕捉する集塵手段とを備えた空気清浄器において、上記集塵手段は、放電極で電荷が付与された粉塵をクローン力で電気的に捕捉できるように帯電処理を施した集塵フィルターより成り、上記放電極に対向する対向電極が設けられ、対向電極が酸化触媒を固定化した金網で構成され、この金網を放電極と集塵フィルターの間に配置したことを特徴とする空気清浄器。
【請求項２】
対向電極を放電極と集塵フィルターとの間に配置し、集塵フィルターに向かうイオン風を発生させるようにしたことを特徴とする請求項１記載の空気清浄器。
【請求項３】
集塵フィルターの表面に沿う方向にイオン風が発生するように放電極と対向電極とを配置したことを特徴とする請求項１記載の空気清浄器。
【請求項４】
放電極として金網を使用したことを特徴とする請求項１記載の空気清浄器。
【請求項５】
集塵フィルターの濾材に導電繊維を混合させ、第二の対向電極としたことを特徴とする請求項１記載の空気清浄器。
【請求項６】
放電極と対向電極の間に脱臭フィルターを配置し、脱臭フィルターとして活性炭を用い、該活性炭の表面に酸化触媒を固定化するか，或いは活性炭と酸化触媒とを混在させてなることを特徴とする請求項１記載の空気清浄器。
【請求項７】
酸化触媒が、二酸化マンガン、酸化ニッケル、酸化銅、酸化チタン、酸化亜鉛、銀のいずれかもしくはこれらの複合物であることを特徴とする請求項１又は請求項６記載の空気清浄器。
【発明の詳細な説明】
【０００１】
【発明の属する技術分野】
本発明は、室内の空気中に含まれる粉塵や臭気等を除去して空気の清浄化を行うための空気清浄器に関するものである。
【０００２】
【従来の技術】
従来より、消臭機能及び集塵機能を有する空気清浄器として、粉塵に電荷を付与する放電極ブロックと、帯電した粉塵を捕捉する集塵用の集塵電極とを備えると共に、放電極ブ
ロック以降の空気通路中に臭気物質の酸化分解を促進させるための酸化触媒を配置したものが提案されている。
【０００３】
その一例を図１２に示す。図中の２′は複数の放電極４′と、複数の対向電極３′とからなる放電極ブロックであり、この放電極ブロック２′を高圧電源３１に接続し、放電極４′と対向電極３′との間でコロナ放電が生じるようにしてある。さらに、送風装置（図示せず）による送風方向において放電極ブロック２′よりも下流側に位置するところに、複数枚の電極板を並べて構成された集塵電極３０を配置してある。この集塵電極３０はマイナス極となるように別の高圧電源３２に接続されており、この集塵電極３０における複数枚の電極相互間に酸化触媒５′をそれぞれ配設してある。
【０００４】
このように構成された放電極ブロック２′において、コロナ放電によって空気中の小さな粉塵はプラスに帯電され、マイナス極である集塵電極３０において捕集される。また放電極ブロック２′ではコロナ放電によって活性酸素が臭気物質と反応して無臭化がなされると共に、この活性酸素により酸化触媒５′が励起され、酸化触媒５′表面での臭気物質の酸化が促進されるようになっている。
【０００５】
【発明が解決しようとする課題】
ところで、集塵電極３０で粉塵を捕集するために、集塵電極３０に粉塵が溜まり、定期的に集塵電極３０を掃除する必要が生じるが、この場合の掃除方法として、集塵電極３０を本体から取り出して水洗いする方法があるが、集塵電極３０を本体にセットしたときに、この集塵電極３０は高圧電源３２に接続されるため、完全に水分を取り除いておく必要があり、このような水切り作業は使用者にとって非常に煩わしいものであった。しかも、放電極ブロック２′と集塵電極３０とに２つの別の高圧電源３１，３２を採用しているため、高圧電源の使用個所が増え、消費電力が大きくなるという問題もある。
【０００６】
本発明は上記の点に鑑みてなされたものであり、その目的とすることろは、集塵フィルターの掃除を簡素化でき、しかも高圧電源の使用個所をできるだけ少なくして省電力化に貢献できるようにした空気清浄器を提供することにある。
【０００７】
【課題を解決するための手段】
上記課題を解決するため、本発明に係る空気清浄器は、放電により活性酸素を発生させると共に粉塵に電荷を付与する放電極ブロック２と、放電極ブロック２よりも下流側に配置されて上記活性酸素で励起されて臭気物質の酸化分解を促進させる酸化触媒５と、粉塵を捕捉する集塵手段６とを備えた空気清浄器において、上記集塵手段６は、放電極４で電荷が付与された粉塵をクローン力で電気的に捕捉できるように帯電処理を施した集塵フィルター１０より成ることを特徴としており、このように構成することで、集塵フィルター１０に従来のような高圧電源を接続しなくても済むので、集塵フィルター１０を本体ケースから取り出して水洗いする場合に、従来のように完全に水分を取り除いておく必要がなく、そのうえ電力消費を節約することができる。また、上記放電極４に対向する対向電極３を設けたので、対向電極３によって集塵フィルター１０への引き寄せ力がより大きくなる。さらに、上記対向電極３が酸化触媒５を固定化した金網８Ｂで構成され、この金網８Ｂを放電極４と集塵フィルター１０の間に配置されているので、活性酸素により金網８Ｂに固定された酸化触媒５の励起がより確実になされることとなり、酸化触媒５による臭気物質の分解率を高めることができる。
【０００８】
上記対向電極３を放電極４と集塵フィルター１０との間に配置し、集塵フィルター１０に向かうイオン風を発生させるのが好ましく、この場合、放電極４から集塵フィルター１０に向かうイオン風の流れによって帯電した粉塵がフィルター方向に移動して、集塵フィルター１０に捕集され易くなる。
【０００９】
上記集塵フィルター１０の表面に沿う方向にイオン風が発生するように放電極４と対向電極３を配置するのが好ましく、この場合、帯電した粉塵がフィルター表面を通過する際に、集塵フィルター１０全面にわたってクーロン力で引き寄せられるようになり、捕集性能がより向上する。
【００１０】
上記放電極４として金網を使用するのが好ましく、この場合、放電極４での通風性がそれぞれ良くなり、風量の低下及び騒音の低下を図ることができる。
【００１１】
上記集塵フィルター１０の濾材に導電繊維を混合させ、第二の対向電極とするのが好ましく、この場合、集塵フィルター１０には導電繊維による粉塵引き付け力に加えて、放電極から集塵フィルター１０に向かう放電も同時に発生するため、酸化触媒５の励起がより促進される。
【００１２】
上記放電極４と対向電極３の間に脱臭フィルター７を配置し、脱臭フィルター７として活性炭を用い、この活性炭の表面に酸化触媒５を固定化するか、或いは活性炭と酸化触媒５とを混在させるようにするのが好ましく、この場合、活性炭による脱臭効果を高めることができると同時に、放電で酸化触媒５を励起させることによって、吸着剤で捕捉した臭気を酸化触媒５で分解できる。
【００１３】
上記酸化触媒５が、二酸化マンガン、酸化ニッケル、酸化銅、酸化チタン、酸化亜鉛、銀のいずれかもしくはこれらの複合物であるのが好ましく、この場合、対象とするガス（臭気物質）の分解能力を高めることができる。
【００１４】
【発明の実施の形態】
以下、本発明の実施の形態を説明する。
【００１５】
図１〜図７は本発明の基本概念の説明図である。空気清浄器１の本体ケース１１は、図３に示すように、前面側が大きく開口しており、その前面側の開口部を覆うようにして前カバー１２が着脱自在に取り付けられる。前カバー１２はその大部分が空気流入部１３となっており、この空気流入部１３として例えば網状または多数の小孔を形成したり、或いはルーバ片間に吸い込み口を設けたりしてある。前カバー１２の裏面側には粗い埃を除去するためのプレフィルター１８が装着されている。
【００１６】
本体ケース１１の前面開口部は、後方に向けて凹んでおり、その凹み部分の奥側がフィルター取り付け部１６となっていて、該フィルター取り付け部１６に集塵手段６が着脱自在に取り付けられている。集塵手段６の着脱作業は前カバー１２を取り外すことにより行うことができる。なお、図１中の矢印イはイオン風の流れ方向を示している。
【００１７】
前カバー１２と集塵手段６との間には第一放電極ブロック２が配置される空間が形成され、この空間内がイオン風の風路となっている。
【００１８】
先ず、第一放電極ブロック２は、空気中の粉塵を帯電させてイオン風を誘起する粉塵帯電手段およびイオン風誘起手段を構成しており、図２、図３に示すように、本体ケース１１の前後方向に開口する矩形状の電極枠１９と、この電極枠１９内の本体ケース１１前面側に配置された放電極４となる上下複数本の放電線２０と、電極枠１９内の本体ケース１１背面側に配置された対向電極３となる上下複数枚の導電性鋼板からなる対極板２１とで構成されている。放電線２０はその端部がコイルばねにより張力が与えられた状態で電極枠１９に取り付けられている。また放電線２０の片側端部または両端部にゴム製や合成樹脂製の弾性及び絶縁性を有するチューブ（図示せず）を被せ、振動を吸収する構造となっている。放電線２０は例えば線形の細いタングステン線或いはピアノ線で形成されている。放電線２０の間に配置される対極板２１は、両端が電極枠１９に固定されている。
【００１９】
上記第一放電極ブロック２は、集塵手段６と同様、前カバー１２を外すことで本体ケース１１から着脱可能となっている。そして、第一放電極ブロック２を本体ケース１１の上記空間に配置して取り付けた状態（図示を省略した支持部材により支持して取り付けられた状態）で、放電線２０には例えば＋６．５ｋＶの電圧が印加されるようになっている。対極板２１は回路の接地側に接続されている。
【００２０】
第一放電極ブロック２の下流側に配置される集塵手段６は、例えば図３に示すように、送風方向と垂直に配置される平面形状の酸化触媒５と、除塵をするための集塵フィルター１０と、脱臭をするための脱臭フィルター７とで構成されている。
【００２１】
酸化触媒５としては、対象とするガス（臭気物質）の分解能力の高いもの、例えば二酸化マンガン、酸化ニッケル、酸化銅、酸化チタン、酸化亜鉛、銀のいずれか１種、もしくはこれらの複合物を選択して用いるのが好ましい。また、酸化触媒５は１箇所だけでなく、複数箇所に配置してもよいのは勿論のことである。
【００２２】
集塵フィルター１０には、放電極４で電荷が付与された粉塵をクローン力で電気的に捕捉できるように帯電処理が施されている。本例では、フィルターの濾材に導電性の繊維を
配合して構成されていると共に、フィルター端部が回路の接地側に接続されていて、放電線２０に対する第二の対向電極を兼ねた構造となっている。
【００２３】
脱臭フィルター７としては、例えば活性炭の表面に酸化触媒を固定化したもの、或いは活性炭と酸化触媒とを混在させたもので構成されているのが好ましい。
【００２４】
また、上記本体ケース１１のフィルター取り付け部１６の背部には、図２に示すように、ファン収納部１５が設けてあり、このファン収納部１５にファン１７が配置してある。そして、フィルター取り付け部１６の奥壁にはファン１７と連通するファン用吸込孔２２が開口していると共に、本体ケース１１の後部の上面部にはファン用排出口２３が開口しており、ファン１７を運転すると、図２の矢印ロで示す方向に、前カバー１２の空気流入部１３から集塵フィルター１０に向けて水平に空気が吸い込まれて、集塵フィルター１０で浄化された後に、ファン用吸込孔２２からファン１７を経てファン用排出口２３から上方に排出されるようになっている。
【００２５】
なお、本体ケース１１の外面部にはダストセンサ装置（図示せず）が取り付けられており、室内空気の汚れ度合いを素早く検出できるようにしてある。
【００２６】
さらに、前カバー１２と集塵フィルター１０との間に形成される空間により構成されるイオン風の風路の上方部には、第二放電極ブロック１４が設けられている。この第二放電極ブロック１４は、第一放電極ブロック２と同様、イオン風を誘起する機能を有している。すなわち、第二放電極ブロック１４は上方を向いたイオン化針２４と、その上方に配置されたイオン化針対極板２５とで構成されており、イオン化針２４には例えば−６．５ｋＶの電圧が印加され、イオン化針対極板２５は回路の接地側に接続されている。
【００２７】
次に、イオン風を誘起させて空気を浄化する場合の動作の一例を説明する。図１において、第一放電極ブロック２の放電線２０に＋６．５ｋＶの電圧が印加されると、まず、放電線２０の近傍の空気が電離されてプラスイオンが発生し、このプラスイオンは接地されている対向電極３に向かって移動する。そしてこの移動の途中でプラスイオンが空気中の分子との衝突しプラスイオンの運動エネルギーが空気中の分子に与えられ、イオン風と呼ばれる風が集塵フィルター１０に向かって発生する。
【００２８】
このようにして生じるイオン風により、前カバー１２の空気流入部１３から集塵フィルター１０に向けて水平に空気が吸い込まれ、集塵フィルター１０に向かう風の流れが生じる。この場合、プレフィルター１８で大きな粉塵が捕集され、その後第一放電極ブロック２において小さな粉塵は上記プラスイオンと衝突してプラスに帯電され、このプラスイオンに帯電した粉塵が、イオン風により集塵フィルター１０の方向に移動し、導電性の繊維が配合されて帯電処理が施されている集塵フィルター１０にクーロン力で引き寄せられて捕集される。
【００２９】
またこのとき、第一放電極ブロック２ではコロナ放電によって活性酸素（オゾンを含む）が発生し、この活性酸素が臭気物質に反応して無臭化がなされる。たとえば、アンモニアＮＨ３は活性酸素との反応でＮ２＋Ｈ２０となる。また、この活性酸素は、酸化触媒５を励起して、酸化触媒５表面での臭気物質の酸化を促進する。またこのとき、集塵フィルター１０は回路の接地側に接続されており、第二の対向電極を兼ねているので、放電線２０から集塵フィルター１０に向かう放電も同時に発生するようになり、酸化触媒５の励起が促進され、これに伴い臭気物質の無臭化が促進される。このように、活性酸素を直接臭気物質に作用させるだけでなく、酸化触媒５による臭気物質の酸化分解を促進するものとしても利用でき、脱臭能力の向上が図られる。つまり、放電極４の放電で生じる活性酸素と臭気物質との酸化触媒５上での反応、及び、活性酸素での酸化触媒５の励起によって臭気物質の無臭化がなされ、脱臭能力を強化することが可能となる。
【００３０】
また、図２に示す吐き出し口２５近傍にある第二放電極ブロック１４では、イオン化針２４の先端付近で空気が電離されてマイナスイオンが発生し、イオン化針２４と接地されたイオン化針対極板２５との間に発生した電気力線に沿って人間の体に良いとされているマイナスイオンをイオン風の流路と連通する吐き出し口２５から室内に放出する。
【００３１】
なお空気清浄器１の運転モードとしては、「弱モード（ファン低速回転、イオン風発生）」、「標準モード（ファン中速回転、イオン風発生）」、「急速モード（ファン高速回転、イオン風発生）」、「イオン風モード（ファン停止、イオン風発生のみ）」、さらには室内空気の汚れを自動的に検出する「自動モード」等がある。例えば、「自動モード」を選択した場合には、図４に示すように、イオン風を誘起させて送風させる運転となり、図４の矢印ハで示すイオン風の流れによりダストセンサ装置内に室内空気が引き込まて汚れ状態が素早く検出される。このイオン風の流れによりダストセンサ装置内の検出用通路を通過する室内空気の汚れ状態をダストセンサによって検出した検出結果は制御部に出力され、汚れ度合いが一定値以下の場合にはそのままイオン風を誘起して送風浄化する運転のみの継続を行うように制御し、汚れ度合いが一定値以上の場合にはその汚れ度合いに応じてイオン風を誘起して送風する運転に加えてファン１７を「弱」または「標準」又は「急速」で運転し、室内空気の汚れを風量の大きいファン１７の運転による浄化で素早く浄化するようになっている。そして、ダストセンサ装置による室内空気の汚れ状態の検出結果が一定値以下に下がると、ファン１７による運転を停止し、イオン風を誘起して送風浄化する運転（図４のイオン風モード）のみが継続されるようになるので、音が静かで、特に睡眠をとる時などに最適となる。
【００３２】
しかして、集塵フィルター１０には、放電線２０で電荷が付与された粉塵をクローン力で電気的に捕捉できるように帯電処理を施してあるので、従来のように高圧電源を集塵フィルター１０に接続しなくても、十分な除塵性能を確保できるものとなり、また、定期的に集塵フィルター１０を本体ケース１１から取り出して水洗いする場合においても、この集塵フィルター１０は高圧電源には接続されるものではないために、従来のように完全に水分を取り除いておく必要がなく、使用者にとって集塵フィルター１０の掃除が非常に楽になる。そのうえ、放電線２０のみを高圧電源に接続し、対向電極３及び集塵フィルター１０は接地されているので、高圧電源の使用個所が１箇所で済み、消費電力を減らして省電力化に貢献できると共に、集塵フィルター１０が放電極４と対向する第二の対向電極を兼用することで、帯電した粉塵を集塵フィルター１０により強く引き付けることができ、捕集性能が一層向上することとなる。
【００３３】
図５は他の基本概念を示しており、第一放電極ブロック２において、矩形状の電極枠１９内部に、放電線２０を上下複数本配置すると共に、電極枠１９内の各放電線２０より上方に前後２枚１組の対極板２１を各々配置するようにしたものである。このように、放電極４と対向電極３とを上下方向に配列することによって、放電線２０に所定の電圧が印加されると、集塵フィルター１０の表面に沿う方向（図５の上方）にイオン風が発生することとなり、プラスに帯電した粉塵は集塵フィルター１０の表面を通過する際に、帯電処理され且つ接地されている集塵フィルター１０にクーロン力で引き寄せられて確実に捕集されることとなる。しかも、放電で発生した活性酸素は、上記と同様に酸化触媒５を励起して、酸化触媒５表面での臭気物質の酸化による無臭化を行うようになる。
【００３４】
なお、前記例では、酸化触媒５は集塵フィルター１０及び脱臭フィルター７とは別に設けた場合を説明したが、酸化触媒５は活性酸素が発生する第一放電極４以降の空気通過路中にあればよく、例えば集塵フィルター１０或いは脱臭フィルター７のいずれかの表面に固定されていてもよいものであり、また集塵フィルター１０或いは脱臭フィルター７の内部に酸化触媒５を混在してもよいものであり、その例を図６〜図９にそれぞれ示す。
【００３５】
図６は、対向電極３として金網８Ａを使用し、金網８Ａを回路の接地側に接続すると共に、放電線２０と金網８Ａとの間に酸化触媒５を固定化した集塵フィルター１０と、脱臭フィルター７とを配置した場合を示している。このような対向電極３として金網８Ａを用いることで、対向電極３の通風性が良くなると共に電極構造を簡素化できる。また、集塵フィルター１０の表面に酸化触媒５を固定化したことにより、放電により発生する活性酸素で酸化触媒５を励起させることによって、集塵フィルター１０に脱臭機能を持たせることができ、脱臭フィルター７の小型化を図ることができるものである。さらに、図７に示すように、図６の放電線２０に代えて金網８Ｂを用いるようにしてもよい。
【００３６】
図８は本発明の一実施形態を示す。図８は、対向電極３を酸化触媒５を固定化した金網８Ｂで構成し、この金網８Ｂを放電線２０と集塵フィルター１０との間に配置した場合を示している。この場合、活性酸素による酸化触媒５の励起がより確実になされるために、酸化触媒５による臭気物質の分解率を高くすることができる。
【００３７】
図９は、酸化触媒５を固定化した導電材料により集塵フィルター１０を構成した場合を示している。このように集塵フィルター１０に導電材料と酸化触媒５とを配置することにより、集塵フィルター１０は対向電極３を兼用することとなり、部品数の削減を図ることができる。
【００３８】
ここで、集塵フィルター１０の導電材料としては、酸化亜鉛、或いは吸着剤である活性炭繊維を用いるのが好ましい。また酸化触媒５として酸化亜鉛を用いるのが好ましい。さらに第１放電極４の放電線２０の材料として導電性のある酸化亜鉛を用いるのが好ましく、この場合、放電線２０表面は高電界で最もエネルギーが高くなり、臭気物質の分解率を高めることができる。
【００３９】
さらに、上記導電材料として活性炭繊維を用いてもよく、或いは、ウレタン活性炭を用いて、これに酸化触媒を固定化するようにしてもよい。さらに導電材料としてハニカム活性炭を用い、これに酸化触媒を固定化するようにしてもよいものである。
【００４０】
図１０は、集塵フィルター１０の濾材１０ａを２層構造とし、その間に酸化触媒５を固定化するようにした場合を示している。このように集塵フィルター１０の濾材１０ａ，１０ａ間に酸化触媒５を挟み込むことにより、濾材１０ａに混合させる場合よりも多くの酸化触媒５を配置できるようになる。しかも、集塵フィルター１０に酸化触媒５を固定化することで、放電により発生する活性酸素で励起させて悪臭成分を無臭化でき、脱臭機能を向上させると同時に脱臭フィルター７の長寿命化を図ることができる。同様に集塵及び脱臭フィルター７とは別に風路内に酸化触媒５を配置した場合にも、脱臭能力が強化される。例えば図１１に示すように、上下複数本の放電線２０のそれぞれの表面に酸化亜鉛等の酸化触媒５を固定化してもよく、これにより、脱臭フィルター７として使用する活性炭等の吸着剤容量を減らすことができるため、本体ケース１１の小型化やコストダウンが可能となる。なお、図１１のように酸化触媒５を濾材１０ａ，１０ａ間に配置する以外に、集塵フィルター１０の２層構造の濾材の下流側の層に酸化触媒５として酸化亜鉛を固定化したり、あるいはその下流側の層を活性炭繊維で形成したりしてもよいものである。
【００４１】
【発明の効果】
本発明の請求項１記載の発明にあっては、放電により活性酸素を発生させると共に粉塵に電荷を付与する放電極ブロックと、放電極ブロックよりも下流側に配置されて上記活性酸素で励起されて臭気物質の酸化分解を促進させる酸化触媒と、粉塵を捕捉する集塵手段とを備えた空気清浄器において、上記集塵手段は、放電極で電荷が付与された粉塵をクローン力で電気的に捕捉できるように帯電処理を施した集塵フィルターより成るから、集塵フィルターに従来のような高圧電源を接続しなくても済むので、集塵電極を本体ケースから取り出して水洗いする場合に、従来のように完全に水分を取り除いておく必要がなく、使用者にとって集塵電極の掃除が非常に楽になる上に、高圧電源をできる限り少なくできるので、消費電力を減らして省電力化に貢献できるようになる。また、上記放電極に対向する対向電極を設けたから、対向電極によって集塵フィルターへの引き寄せ力を大きくでき、捕集性能の向上を図ることができる。さらに、対向電極が酸化触媒を固定化した金網で構成され、この金網を放電極と集塵フィルターの間に配置したから、活性酸素による酸化触媒の励起がより確実になされるために、酸化触媒による臭気物質の分解率を高くすることができる。
【００４２】
また請求項２記載の発明は、請求項１記載の効果に加えて、対向電極を放電極と集塵フィルターとの間に配置し、集塵フィルターに向かうイオン風を発生させるようにしたから、放電極から集塵フィルターに向かうイオン風の流れが発生し、これにより放電極で帯電した粉塵がフィルター方向に移動して、帯電処理された集塵フィルターに引き寄せられて捕集され易くなり、捕集性能を高めることができる。
【００４３】
また請求項３記載の発明は、請求項１記載の効果に加えて、集塵フィルターの表面に沿う方向にイオン風が発生するように放電極と対向電極を配置したから、帯電した粉塵がフィルター表面を通過する際に、集塵フィルター全面にわたってクーロン力で引き寄せられることとなり、捕集性能が向上する。
【００４４】
また請求項４記載の発明は、請求項１記載の効果に加えて、放電極として金網を使用したから、放電極での通風性が良くなり、風量低下及び騒音低下の防止により効果的となる。
【００４５】
また請求項５記載の発明は、請求項１記載の効果に加えて、集塵フィルターの濾材に導電繊維を混合させ、第二の対向電極としたから、集塵フィルターには導電繊維による粉塵引き付け力に加えて、放電極から集塵フィルターに向かう放電も同時に発生するため、酸化触媒の励起がより促進される。
【００４６】
また請求項６記載の発明は、請求項１記載の効果に加えて、放電極と対向電極の間に脱臭フィルターを配置し、脱臭フィルターとして活性炭を用い、この活性炭の表面に酸化触媒を固定化するか，或いは活性炭と酸化触媒とを混在させたことにより、活性炭により脱臭効果を高めることができると同時に、放電で酸化触媒を励起させることによって、吸着剤で捕捉した臭気を酸化触媒で分解でき、脱臭フィルターの長寿命化を図ることができる。
【００４７】
また請求項７記載の発明は、請求項１又は６記載の効果に加えて、酸化触媒が、二酸化マンガン、酸化ニッケル、酸化銅、酸化チタン、酸化亜鉛、銀のいずれかもしくはこれらの複合物であるから、対象とするガス（臭気物質）の分解能力を高めることができる。
【図面の簡単な説明】
【図１】  本発明の基本概念を説明する概略側面図である。
【図２】  同上の空気清浄器の側面断面図である。
【図３】  同上の本体ケースと前カバーと集塵手段の分解斜視図である。
【図４】  本発明の基本概念の他例の側面断面図である。
【図５】  本発明の基本概念の更に他例の側面断面図である。
【図６】  本発明の基本概念の更に他例の概略側面図である。
【図７】  本発明の基本概念の更に他例の概略側面図である。
【図８】  本発明の実施形態の一例を示す概略側面図である。
【図９】  他の実施形態の概略側面図である。
【図１０】  更に他の実施形態の概略側面図である。
【図１１】  更に他の実施形態の概略断面図である。
【図１２】  従来例の放電極及び集塵電極の概略構成図である。
【符号の説明】
１  空気清浄器
２  放電極ブロック
３  対向電極
４  放電極
５  酸化触媒
６  集塵手段
７  脱臭フィルター
８Ｂ  金網
１０  集塵フィルター
【図１】
0003924927.tif 000002
【図２】
0003924927.tif 000003
【図３】
0003924927.tif 000004
【図４】
0003924927.tif 000005
【図５】
0003924927.tif 000006
【図６】
0003924927.tif 000007
【図７】
0003924927.tif 000008
【図８】
0003924927.tif 000009
【図９】
0003924927.tif 000010
【図１０】
0003924927.tif 000011
【図１１】
0003924927.tif 000012
【図１２】
0003924927.tif 000013